(57)【要約】【課題】表示倍率が均一な画像の表示倍率の変更を高速に行うことのできる画像表示装置及び画像表示プログラムを提供する。【解決手段】  異なる複数の表示倍率のそれぞれに対応する画像情報をあらかじめ表示画像格納部１３１に記憶させておく。画像表示装置において表示倍率の変更が使用者により指定されたときには、選択された表示倍率に対応する画像情報を表示画像格納部１３１から読み込み、そして読み込んだ後、これを表示部２に表示する。【選択図】図５
2007213046.tif 000002
【特許請求の範囲】
【請求項１】
画像を表示する表示手段と、
第一情報を記憶した第一記憶手段と、
前記第一情報を前記第一記憶手段から読み込む読込手段と、
前記読込手段により読み込まれた第一情報に基づき前記表示手段に均一な倍率の画像を表示させる表示制御手段と、
表示倍率を選択する倍率選択手段とを備える画像表示装置であって、
前記第一記憶手段は、基準表示倍率の基準画像情報を前記第一情報として記憶すると共に、基準表示倍率とは異なる各表示倍率に対応する第二情報を記憶し、
前記読込手段は、前記倍率選択手段により前記基準表示倍率とは異なる表示倍率が選択された場合には、当該選択された表示倍率に対応する第二情報を前記第一記憶手段から読込み、
前記表示制御手段は、前記読込手段により読み込まれた第二情報に基づき、表示手段に均一な倍率の画像を表示させることを特徴とする画像表示装置。
【請求項２】
前記第二情報は、基準表示倍率とは異なる各表示倍率に対応する対応画像情報であることを特徴とする、請求項１に記載の画像表示装置。
【請求項３】
前記読込手段により読込まれた対応画像情報が、前記表示手段の表示領域サイズよりも大きい場合に、領域を指定する表示領域指定手段を更に備え、
前記表示制御手段は、前記読込手段により読込まれた対応画像情報に基づく画像のうち、前記表示領域指定手段により指定された領域を前記表示手段に表示させることを特徴とする、請求項２に記載の画像表示装置。
【請求項４】
表示画像指定手段を更に備え、
前記対応画像情報は、前記表示手段の表示領域サイズ以下の複数の分割画像情報からなり、
前記表示画像指定手段は、前記倍率選択手段により選択された表示倍率に対応する対応画像情報の複数の分割画像情報のうちのいずれか一つを指定するものであり、  
前記読込手段は、前記表示画像指定手段により指定された分割画像情報を前記第一記憶手段から読込み、
前記表示制御手段は、前記読込手段により読み込まれた分割画像情報に基づき前記表示手段に画像を表示させることを特徴とする、請求項２に記載の画像表示装置。
【請求項５】
前記分割画像情報に基づき表示される画像は、各画像間で重複する重複領域を有することを特徴とする、請求項４に記載の画像表示装置。
【請求項６】
前記基準表示倍率とは異なる表示倍率は、基準表示倍率の整数倍であることを特徴とする請求項４に記載の画像表示装置。
【請求項７】
前記第一記憶手段は、前記分割画像情報を、前記基準画像情報に対して９０°回転させた状態で記憶することを特徴とする請求項４又は５のいずれかに記載の画像表示装置。
【請求項８】
表示画像指定手段を更に備え、
前記対応画像情報は、それぞれが前記表示手段の表示領域サイズ以下の複数の分割画像情報からなり、
前記表示画像指定手段は、前記倍率選択手段により選択された表示倍率の対応画像情報の複数の分割画像情報のうちの二以上の分割画像情報を指定するものであり、  
前記読込手段は、前記表示画像指定手段により指定された全ての分割画像情報を前記第一記憶手段から読込み、
前記表示制御手段は、前記読込手段により読み込まれた全ての分割画像情報に基づき合成画像を前記表示手段に表示させることを特徴とする、請求項２に記載の画像表示装置。
【請求項９】
前記表示倍率と前記第一情報及び第二情報との対応関係を示す管理情報を記憶した第二記憶手段を更に備え、
前記読込手段は、前記管理情報に基づき、前記倍率選択手段により選択された表示倍率に対応する第一情報又は第二情報を読み込むことを特徴とする、請求項１乃至８のいずれかに記載の画像表示装置。
【請求項１０】
前記第二情報に基づく対応画像は、前記第一情報に基づく基準画像と第１の方向（Ｗ）において同一の幅を有し、前記第１の方向に直行する第２の方向（Ｌ）において異なる長さを有し、対応画像における文字サイズは、基準画像における文字サイズと異なることを特徴とする請求項１乃至９のいずれかに記載の画像表示装置。
【請求項１１】
前記倍率選択手段により選択された表示倍率に基づいて、圧縮情報の符号長を決定する符号長決定手段を更に備え、
前記対応画像情報は圧縮情報であって、
選択された表示倍率が大きいほど、前記符号長決定手段はより長い符号長を決定することを特徴とする請求項２乃至１０のいずれかに記載の画像表示装置。
【請求項１２】
前記表示制御手段は、前記読込手段により読み込まれた対応画像情報に基づき、前記表示手段にサムネイル画像を表示させることを特徴とする、請求項２乃至１１のいずれかに記載の画像表示装置。
【請求項１３】
対応情報を記憶した第三記憶手段を更に備え、
前記第二情報は、基準表示倍率とは異なる各表示倍率に対応して設けられ、各画素における差分値を示す差分情報であって、
前記対応情報は、前記基準画像情報における各画素と前記差分情報における各画素との対応関係を示す情報であり、
前記読込手段は、
前記倍率選択手段により選択された表示倍率に対応する差分情報を前記第一記憶手段から読込む差分情報読込手段と、
前記対応情報に基づき、前記差分情報読込手段により読み込まれた差分情報の各画素の値に、これに対応する前記基準画像情報の画素の値を加算することにより、表示画像情報を生成する表示画像情報生成手段と、を備え、
前記表示制御手段は、前記表示画像情報生成手段により生成された表示画像情報に基づき、均一な倍率の画像を前記表示手段に表示させることを特徴とする、請求項１に記載の画像表示装置。
【請求項１４】
前記第二情報は、基準表示倍率とは異なる各表示倍率に対応して設けられ、各画素における差分値を示す差分情報であって、
前記読込手段は、
前記倍率選択手段により選択された表示倍率に対応する差分情報を前記第一記憶手段から読込む差分情報読込手段と、
前記基準画像情報から、前記倍率選択手段により選択された表示倍率に対応する倍率画像情報を生成する倍率画像情報生成手段と、
前記差分情報読込手段により読み込まれた差分情報の各画素の値に、これに対応する前記倍率画像情報の画素の値を加算することにより、表示画像情報を生成する表示画像情報生成手段と、を備え、
前記表示制御手段は、前記表示画像情報生成手段により生成された表示画像情報に基づき、均一な倍率の画像を表示手段に表示させることを特徴とする、請求項１に記載の画像表示装置。
【請求項１５】
異なる複数の表示倍率を示す倍率データを記憶した第四記憶手段を更に備え、
倍率選択手段は、前記異なる複数の表示倍率の中から１の表示倍率を選択することを特徴とする、請求項１乃至１４のいずれかに記載の画像表示装置。
【請求項１６】
画像を表示する表示手段と、
外部記憶手段から基準表示倍率の基準画像情報である第一情報を読み込む読込手段と、
前記読込手段により読み込まれた第一情報に基づき前記表示手段に均一な倍率の画像を表示させる表示制御手段と、
表示倍率を選択する倍率選択手段とを備える画像表示装置であって、
前記読込手段は、前記倍率選択手段により前記基準表示倍率とは異なる表示倍率が選択された場合には、当該選択された表示倍率に対応する第二情報を前記外部記憶手段から読込み、
前記表示制御手段は、前記読込手段により読み込まれた第二情報に基づき、表示手段に均一な倍率の画像を表示させることを特徴とする画像表示装置。
【請求項１７】
請求項１乃至１６のいずれかに記載の画像表示装置の各種処理手段としてコンピュータを機能させる画像表示プログラム。
【発明の詳細な説明】
【技術分野】
【０００１】
本発明は、表示倍率に応じた画像を表示するための画像表示装置及び画像表示プログラムに関するものである。
【背景技術】
【０００２】
従来、表示されている画像の一部分を拡大表示する方法として、文字フォントを内蔵し、格納された文字コードデータに対してラスタライズ処理を行い、その時に大きさの異なるフォントを割当てることにより拡大を行う方法や、ソフトウェアで画像拡大を行い、そのうちの一部分を表示させる方法等が知られている。
【０００３】
前者の場合、表示の都度ラスタライズ処理を行うため、拡大を行っても可読性に優れた表示を行うことができるが、文字フォントデータを備えた端末でなければならず、また、扱うデータもテキストを含んでいるデータに限られてしまう問題があった。
【０００４】
また、後者の方法の場合、処理にかかる時間は使用するハードウェアの処理速度に大きく影響をうけ、またその品質も粗く、曲線が滑らかでなく、細線の潰れや、かすれといった影響が発生する問題があった。
【０００５】
特許文献１では、Ｂｉｆｏｃａｌ表示を用いた拡大表示の高速化を目的として、それぞれ倍率の異なる拡大画像を予め用意しておき、拡大指示があった場合には、当該拡大画像を複数組み合わせて表示するようにしている。
【特許文献１】特開平８−６９２７５号公報
【発明の開示】
【発明が解決しようとする課題】
【０００６】
しかしながら、上記従来の方法では、Ｂｉｆｏｃａｌ表示を用いた拡大表示を行うことはできるものの、画面内において倍率が均一な画像を表示させたい場合に、表示させる画像の倍率の切換を高速化することができない。
【０００７】
本発明はこのような問題を解決するためになされたものであり、表示倍率が均一な画像の表示倍率の変更を高速に行うことのできる画像表示装置及び画像表示プログラムを提供することを目的とする。
【課題を解決するための手段】
【０００８】
上記目的を達成するために、本発明の請求項１に記載の画像表示装置は、画像を表示する表示手段と、第一情報を記憶した第一記憶手段と、前記第一情報を前記第一記憶手段から読み込む読込手段と、前記読込手段により読み込まれた第一情報に基づき前記表示手段に均一な倍率の画像を表示させる表示制御手段と、表示倍率を選択する倍率選択手段とを備える画像表示装置であって、前記第一記憶手段は、基準表示倍率の基準画像情報を前記第一情報として記憶すると共に、基準表示倍率とは異なる各表示倍率に対応する第二情報を記憶し、前記読込手段は、前記倍率選択手段により前記基準表示倍率とは異なる表示倍率が選択された場合には、当該選択された表示倍率に対応する第二情報を前記第一記憶手段から読込み、前記表示制御手段は、前記読込手段により読み込まれた第二情報に基づき、表示手段に均一な倍率の画像を表示させることを特徴とする。
【０００９】
また、本発明の請求項２に記載の画像表示装置は、請求項１に記載の発明の構成に加え、前記第二情報は、基準表示倍率とは異なる各表示倍率に対応する対応画像情報であることを特徴とする。
【００１０】
また、本発明の請求項３に記載の画像表示装置は、請求項２に記載の発明の構成に加え、前記読込手段により読込まれた対応画像情報が、前記表示手段の表示領域サイズよりも大きい場合に、領域を指定する表示領域指定手段を更に備え、前記表示制御手段は、前記読込手段により読込まれた対応画像情報に基づく画像のうち、前記表示領域指定手段により指定された領域を前記表示手段に表示させることを特徴とする。
【００１１】
また、本発明の請求項４に記載の画像表示装置は、請求項２に記載の発明の構成に加え、表示画像指定手段を更に備え、前記対応画像情報は、前記表示手段の表示領域サイズ以下の複数の分割画像情報からなり、前記表示画像指定手段は、前記倍率選択手段により選択された表示倍率に対応する対応画像情報の複数の分割画像情報のうちのいずれか一つを指定するものであり、前記読込手段は、前記表示画像指定手段により指定された分割画像情報を前記第一記憶手段から読込み、前記表示制御手段は、前記読込手段により読み込まれた分割画像情報に基づき前記表示手段に画像を表示させることを特徴とする。
【００１２】
また、本発明の請求項５に記載の画像表示装置は、請求項４に記載の発明の構成に加え、  前記分割画像情報に基づき表示される画像は、各画像間で重複する重複領域を有することを特徴とする。
【００１３】
また、本発明の請求項６に記載の画像表示装置は、請求項４に記載の発明の構成に加え、前記基準表示倍率とは異なる表示倍率は、基準表示倍率の整数倍であることを特徴とする。
【００１４】
また、本発明の請求項７に記載の画像表示装置は、請求項４又は５のいずれかに記載の発明の構成に加え、前記第一記憶手段は、前記分割画像情報を、前記基準画像情報に対して９０°回転させた状態で記憶することを特徴とする。
【００１５】
また、本発明の請求項８に記載の画像表示装置は、請求項２に記載の発明の構成に加え、表示画像指定手段を更に備え、前記対応画像情報は、それぞれが前記表示手段の表示領域サイズ以下の複数の分割画像情報からなり、前記表示画像指定手段は、前記倍率選択手段により選択された表示倍率の対応画像情報の複数の分割画像情報のうちの二以上の分割画像情報を指定するものであり、前記読込手段は、前記表示画像指定手段により指定された全ての分割画像情報を前記第一記憶手段から読込み、前記表示制御手段は、前記読込手段により読み込まれた全ての分割画像情報に基づき合成画像を前記表示手段に表示させることを特徴とする。
【００１６】
また、本発明の請求項９に記載の画像表示装置は、請求項１乃至８のいずれかに記載の発明の構成に加え、前記表示倍率と前記第一情報及び第二情報との対応関係を示す管理情報を記憶した第二記憶手段を更に備え、前記読込手段は、前記管理情報に基づき、前記倍率選択手段により選択された表示倍率に対応する第一情報又は第二情報を読み込むことを特徴とする。
【００１７】
また、本発明の請求項１０に記載の画像表示装置は、請求項１乃至９のいずれかに記載の発明の構成に加え、前記第二情報に基づく対応画像は、前記第一情報に基づく基準画像と第１の方向（Ｗ）において同一の幅を有し、前記第１の方向に直行する第２の方向（Ｌ）において異なる長さを有し、対応画像における文字サイズは、基準画像における文字サイズと異なることを特徴とする。
【００１８】
また、本発明の請求項１１に記載の画像表示装置は、請求項２乃至１０のいずれかに記載の発明の構成に加え、前記倍率選択手段により選択された表示倍率に基づいて、圧縮情報の符号長を決定する符号長決定手段を更に備え、前記対応画像情報は圧縮情報であって、選択された表示倍率が大きいほど、前記符号長決定手段はより長い符号長を決定することを特徴とする。
【００１９】
また、本発明の請求項１２に記載の画像表示装置は、請求項１乃至１１のいずれかに記載の発明の構成に加え、前記表示制御手段は、前記読込手段により読み込まれた対応画像情報に基づき、前記表示手段にサムネイル画像を表示させることを特徴とする。
【００２０】
また、本発明の請求項１３に記載の画像表示装置は、請求項１に記載の発明の構成に加え、対応情報を記憶した第三記憶手段を更に備え、前記第二情報は、基準表示倍率とは異なる各表示倍率に対応して設けられ、各画素における差分値を示す差分情報であって、前記対応情報は、前記基準画像情報における各画素と前記差分情報における各画素との対応関係を示す情報であり、前記読込手段は、前記倍率選択手段により選択された表示倍率に対応する差分情報を前記第一記憶手段から読込む差分情報読込手段と、前記対応情報に基づき、前記差分情報読込手段により読み込まれた差分情報の各画素の値に、これに対応する前記基準画像情報の画素の値を加算することにより、表示画像情報を生成する表示画像情報生成手段と、を備え、前記表示制御手段は、前記表示画像情報生成手段により生成された表示画像情報に基づき、均一な倍率の画像を前記表示手段に表示させることを特徴とする。
【００２１】
また、本発明の請求項１４に記載の画像表示装置は、請求項１に記載の発明の構成に加え、前記第二情報は、基準表示倍率とは異なる各表示倍率に対応して設けられ、各画素における差分値を示す差分情報であって、前記読込手段は、前記倍率選択手段により選択された表示倍率に対応する差分情報を前記第一記憶手段から読込む差分情報読込手段と、前記基準画像情報から、前記倍率選択手段により選択された表示倍率に対応する倍率画像情報を生成する倍率画像情報生成手段と、前記差分情報読込手段により読み込まれた差分情報の各画素の値に、これに対応する前記倍率画像情報の画素の値を加算することにより、表示画像情報を生成する表示画像情報生成手段と、を備え、前記表示制御手段は、前記表示画像情報生成手段により生成された表示画像情報に基づき、均一な倍率の画像を表示手段に表示させることを特徴とする。
【００２２】
また、本発明の請求項１５に記載の画像表示装置は、請求項１乃至１４に記載の発明の構成に加え、異なる複数の表示倍率を示す倍率データを記憶した第四記憶手段を更に備え、
倍率選択手段は、前記異なる複数の表示倍率の中から１の表示倍率を選択することを特徴とする。
【００２３】
また、本発明の請求項１６に記載の画像表示装置は、画像を表示する表示手段と、外部記憶手段から基準表示倍率の基準画像情報である第一情報を読み込む読込手段と、前記読込手段により読み込まれた第一情報に基づき前記表示手段に均一な倍率の画像を表示させる表示制御手段と、表示倍率を選択する倍率選択手段とを備える画像表示装置であって、前記読込手段は、前記倍率選択手段により前記基準表示倍率とは異なる表示倍率が選択された場合には、当該選択された表示倍率に対応する第二情報を前記外部記憶手段から読込み、前記表示制御手段は、前記読込手段により読み込まれた第二情報に基づき、表示手段に均一な倍率の画像を表示させることを特徴とする。
【００２４】
また、本発明の請求項１７に記載の画像表示プログラムは、請求項１乃至１６のいずれかに記載の画像表示装置の画像表示装置の各種処理手段としてコンピュータを機能させることを特徴とする。
【発明の効果】
【００２５】
本発明の請求項１に記載の画像表示装置は、基準表示倍率の基準画像情報の他に、他の表示倍率に対応する情報を予め記憶手段に記憶しておくので、基準表示倍率とは異なる表示倍率への表示変更が指定されたときには、記憶手段からその表示倍率に対応する情報を読み出し、これに基づいて均一な倍率の画像を表示できる。従って、表示倍率の変更が指示された場合であっても、表示倍率の異なる均一な倍率の画像の表示を高速に行うことができる。
【００２６】
また、本発明の請求項２に記載の画像表示装置は、請求項１に記載の発明の効果に加え、各表示倍率に対応する第二情報として、対応画像情報を記憶手段に予め記憶させておくので、対応画像情報に基づき高速に画像表示を行うことができる。
【００２７】
また、本発明の請求項３に記載の画像表示装置は、請求項２に記載の発明の効果に加え、対応画像情報が表示領域サイズよりも大きい場合には、表示すべき領域を指定できるので、使用者が所望する画像領域を表示できる。
【００２８】
また、本発明の請求項４に記載の画像表示装置は、請求項２に記載の発明の効果に加え、対応画像情報を複数の分割画像情報として記憶し、指定された分割画像情報のみを表示するため、サイズの大きな対応画像情報全体を読み込んで表示する場合よりも、画像表示用のメモリ領域を少なく構成することができると共に、処理の高速化が図れる。
【００２９】
また、本発明の請求項５に記載の画像表示装置は、請求項４に記載の発明の効果に加え、頁めくり等の遷移を行う場合に、文脈や前後のつながりを把握しやすい表示を行うことができる。
【００３０】
また、本発明の請求項６に記載の画像表示装置は、請求項４に記載の発明の効果に加え、表示画面を切り替えても、画像が表示領域いっぱいに表示されるため、無駄な余白が生じない。よって、閲覧効率がよく、見栄えのよい表示を行うことができる。
【００３１】
また、本発明の請求項７に記載の画像表示装置は、請求項４又は５に記載の発明の効果に加え、画像表示装置が把持できる大きさであれば、画像表示装置自体を回転させて表示画像を閲覧できる。
【００３２】
また、本発明の請求項８に記載の画像表示装置は、請求項２に記載の発明の効果に加え、必要な数の分割画像情報を合成して画像を表示するので、サイズの大きい対応画像情報全体を読み込んで表示する場合よりも、画像表示用のメモリ領域を少なく構成することができると共に、処理の高速化が図れる。また、その分割画像情報の単位毎にスクロールする処理も実行できる。
【００３３】
また、本発明の請求項９に記載の画像表示装置は、請求項１乃至８のいずれかに記載の発明の効果に加え、管理情報を参照して画像情報を読み込むので、記憶する画像情報の数が増加しても、高速に表示を行うことができ、また、後に表示倍率候補が増加した場合も管理が容易になる。
【００３４】
また、本発明の請求項１０に記載の画像表示装置は、請求項１乃至９のいずれかに記載の発明の効果に加え、表示倍率を変更しても、ページ送りを横方向縦方向のいずれか一方向のみ実行すれば、画像全体を閲覧することができる。
【００３５】
また、本発明の請求項１１に記載の画像表示装置は、請求項２乃至１０のいずれかに記載の発明の効果に加え、画像情報を圧縮して記憶し、表示倍率によって符号長を変えるようにしたので、圧縮により記憶容量を効果的に節約できる。
【００３６】
また、本発明の請求項１２に記載の画像表示装置は、請求項２乃至１１のいずれかに記載の発明の効果に加え、表示倍率が縮小倍率の場合には、サムネイル表示を行い、全体を見渡して閲覧できる。
【００３７】
また、本発明の請求項１３に記載の画像表示装置は、請求項１に記載の発明の効果に加え、対応情報及び差分情報に基づき基準画像情報から表示画像情報を生成し、これに基づき画像を表示させるので、表示画像情報そのものを記憶しておくよりも、記憶手段の記憶容量を少なく抑えることができる。
【００３８】
また、本発明の請求項１４に記載の画像表示装置は、請求項１に記載の発明の効果に加え、基準画像情報から倍率画像情報を生成し、倍率画像情報から差分情報に基づき表示画像情報を生成し、この表示画像情報に基づき画像を表示させるので、対応情報を記憶しておかなくても、基準画像情報から表示画像情報を生成することができる。
【００３９】
また、本発明の請求項１５に記載の画像表示装置は、請求項１乃至１４のいずれかに記載の発明の効果に加え、第一記憶手段に記憶された第一情報及び第二情報に対応する表示倍率を容易に把握できる。
【００４０】
また、本発明の請求項１６に記載の画像表示装置は、基準表示倍率の基準画像情報の他に、他の表示倍率に対応する情報を予め外部記憶手段に記憶しておくので、基準表示倍率とは異なる表示倍率への表示変更が指定されたときには、外部記憶手段からその表示倍率に対応する情報を読み出し、これに基づいて均一な倍率の画像を表示できる。従って、表示倍率の変更が指示された場合であっても、表示倍率の異なる均一な倍率の画像の表示を高速に行うことができる。また、基準画像情報等を外部記憶手段から取得するので、画像表示装置自体が備える記憶容量を減らすことができる。
【００４１】
また、本発明の請求項１７に記載の画像表示プログラムは、コンピュータに実行させることにより、請求項１乃至１６のいずれかに記載の画像表示装置の各種処理手段としての作用効果を奏することができる。
【発明を実施するための最良の形態】
【００４２】
以下、本発明の実施形態について図面を参照して説明する。まず、第一実施形態について図１〜図５を参照して説明する。図１は、本実施の形態における画像表示装置１の構成を示すブロック図である。図２は、画像表示装置１の正面図である。
【００４３】
図１に示すように、画像表示装置１は、画像表示装置１全体を制御するＣＰＵ１０と、プログラム等を記憶したＲＯＭ１１と、データを一時的に記憶するＲＡＭ１２と、液晶画面もしくは電子ペーパーディスプレイなどからなる表示部２と、入力部３と、外部記憶部であるメモリカード１３と、データ受信部１４とを備え、これらはバスを介して相互に接続されている。メモリカード１３には、文書データ等の画像情報を格納する表示画像格納部１３１が設けられている。ＲＡＭ１２には、表示部２に表示可能な表示倍率を示す倍率データを記憶した表示倍率格納部１２１と、表示画像格納部１３１に格納された画像情報を一時的に格納するための画像表示用バッファ１２２とが設けられている。尚、表示倍率格納部１２１についてはメモリカード１３に設けられていてもよい。
【００４４】
図２に示すように、表示部２は、画像表示用バッファ１２２に格納された画像情報に基づいて文書等の画像を表示する。入力部３は、頁操作等を行うための次ボタン３１及び前ボタン３２と、表示倍率を変更するための拡大ボタン３４及び縮小ボタン３５とを備えている。
【００４５】
図３は、ＲＡＭ１２の表示倍率格納部１２１のデータ構造を示す構成図である。表示倍率格納部１２１には、拡大ボタン３４又は縮小ボタン３５を押すことによって指定できる表示倍率（０）〜（ｍ）を示す倍率データが格納されている。例えば、表示倍率は、１００％、１５０％、２００％、３００％・・・等である。本実施形態では、後述するように、各表示倍率に対応する画像情報を記憶させておくので、表示できる倍率は固定されている。
【００４６】
図４は、メモリカード１３の表示画像格納部１３１のデータ構造を示す構成図である。表示画像格納部１３１には、文書毎に、各表示倍率に対応する画像情報が記憶されている。ここでは、１００％の表示倍率に対応する画像情報を特に基準画像情報と称し、その他の表示倍率に対応する画像情報を拡大画像情報と称するものとする。例えば、文書ＩＤ１の文書については、基準画像情報１３１０と、拡大画像情報として表示倍率１画像情報１３１１，表示倍率２画像情報１３１２，・・・表示倍率ｍ画像情報１３１ｍが記憶されている。また、文書ＩＤ２の文書については、基準画像情報１３２０と、拡大画像情報として表示倍率１画像情報１３２１，表示倍率２画像情報１３２２・・・表示倍率ｍ画像情報１３２ｍが記憶されている。また、文書ＩＤ３の文書については、基準画像情報１３３０と、拡大画像情報として表示倍率１画像情報１３３１，表示倍率２画像情報１３３２・・・表示倍率ｍ画像情報１３３ｍが記憶されている。
【００４７】
以上の構成を有する画像表示装置１で行なわれる表示倍率変更処理（１）について、図５を参照して説明する。
【００４８】
図５に示すように、表示倍率変更処理（１）が開始されると、まず、現在表示されている文書の文書ＩＤを取得する（Ｓ１）。
【００４９】
そして、ＲＡＭ１２の画像表示用バッファ１２２を初期化する（Ｓ２）。次に、表示倍率格納部１２１から倍率データを取得する（Ｓ３）。
【００５０】
次に、取得した倍率データに基づき、使用者が表示倍率を選択できるよう、表示部２に表示倍率候補を表示する（Ｓ４）。そして、使用者が拡大ボタン３４又は縮小ボタン３５を押して表示倍率を入力してくるのを受け付け（Ｓ５）、その入力に基づき表示倍率を選択する（Ｓ６）。
【００５１】
次に、現在表示中の文書のＳ６で選択された表示倍率に対応する画像情報を表示画像格納部１３１から取得し（Ｓ７）、これを画像表示用バッファ１２２に転送する（Ｓ８）。そして、画像表示用バッファ１２２に格納された画像情報を表示部２に表示する（Ｓ９）。以上で、使用者の所望の表示倍率に変更された画像情報の表示を得ることができる。
【００５２】
尚、表示画像格納部１３１から読み込まれた画像情報が表示部２の表示領域よりも大きい場合には、例えば、左上、右上、左下、右下、等の候補を表示部２に表示して、どの部分を表示するかを使用者が入力可能としてもよいし、左上等の既定の部分を表示させるようにしてもよい。
【００５３】
以上のように、本実施形態によれば、あらかじめ設定された表示倍率に対応させて、その表示倍率に最適化した画像の画像情報を記憶させておき、表示倍率の変更が使用者により指定されたときには、これに対応するその画像情報を読み込んで表示させるので、拡大・縮小処理のために処理時間がかかることがなく、品質の高い画像表示を行うことができる。
【００５４】
次に、本発明の第二実施形態について図６（ａ）乃至図７を参照して説明する。本実施形態では、拡大画像情報そのものを記憶させておく代わりに、差分情報を記憶させておき、表示倍率が指定されたときに基準画像情報から差分情報に基づき拡大画像情報を作成する。
【００５５】
例えば、図６（ａ）及び図６（ｂ）に示すように、基準画像情報５００と、これに対応する表示倍率２００％の拡大画像情報６００及び表示倍率４００％の拡大画像情報７００があるとする。この場合、基準画像情報５００と、基準画像情報５００と拡大画像情報６００との差分を表す差分情報６１０と、基準画像情報５００と拡大画像情報７００との差分を表す差分情報７１０と、図６（ｃ）及び図６（ｄ）にそれぞれ示す対応情報６２０，７２０とを表示画像格納部１３１に記憶しておき、指定された表示倍率に応じて、差分情報６１０、７１０を用いて基準画像情報５００から拡大画像情報６００、７００を生成する。ここで、対応情報とは、基準画像情報の各画素が、求める表示倍率の拡大画像情報においてどの座標位置に来るかを示すものである。図６（ｃ）に示す対応情報６２０は、基準画像情報５００と拡大画像情報６００との対応情報であり、図６（ｄ）に示す対応情報７２０は、基準画像情報５００と拡大画像情報７００との対応情報である。このような本実施形態の表示倍率変更処理（２）について図７を参照して説明する。尚、以下の説明において、第一実施形態と同一の場合はその説明を援用し、説明を省略する。また、同一処理については、ステップ番号も同一のものを用いる。
【００５６】
図７に示すように、まず、現在表示されている文書の文書ＩＤを取得し（Ｓ１）、ＲＡＭ１２の画像表示用バッファ１２２を初期化する（Ｓ２）。次に、拡大画像情報の画素を特定するための画素インデクスｉを初期化して１にし（Ｓ３３）、表示倍率格納部１２１から倍率データを取得する（Ｓ３）。
【００５７】
次に、取得した倍率データに基づき、使用者が表示倍率を選択できるよう、表示部２に表示倍率候補を表示する（Ｓ４）。そして、使用者が拡大ボタン３４又は縮小ボタン３５を押して表示倍率を入力してくるのを受け付け（Ｓ５）、その入力に基づき表示倍率を選択する（Ｓ６）。
【００５８】
次に、現在表示中の文書の、選択された表示倍率に対応する差分情報を表示画像格納部１３１から読み込む（Ｓ３７）。そして、選択された表示倍率をもとに、対応情報を表示画像格納部１３１から取得する（Ｓ３８）。
【００５９】
次に、取得した対応情報に基づき、画素インデクスｉに対応する基準画像情報の画素の値を取得する（Ｓ３９）。次に、画素インデクスｉの差分値を差分情報から取得し（Ｓ４０）、Ｓ３９で取得した画素値に、Ｓ４０で取得した差分値を加算する（Ｓ４１）。そして、Ｓ４１で得られた画素値を画像表示用バッファ１２２にセットする（Ｓ４２）。
【００６０】
次に、画素インデクスｉの値が、求める拡大画像情報のサイズ（全画素数）と一致したか否かを判断し（Ｓ４３）、一致していなければ（Ｓ４３：ＮＯ）、ｉの値に１を加算して（Ｓ４４）、Ｓ３９に戻り、Ｓ３９〜Ｓ４３の処理を繰り返す。
【００６１】
画素インデクスｉの値が、拡大画像情報のサイズと一致した場合には（Ｓ４３：ＹＥＳ）、画像表示用バッファ１２２に格納された画像情報（拡大画像情報）を表示部２に表示する（Ｓ９）。以上により、使用者の所望の拡大画像情報を差分情報に基づいて生成し、これを表示できる。
【００６２】
以上のように、本実施形態によれば、拡大画像情報そのものに代えて差分情報を表示画像格納部１３１に記憶しておくので、対応する表示倍率が多くなっても、表示画像格納部１３１の記憶容量を節約しつつ、各表示倍率に対応した高品質の画像を表示させることができる。
【００６３】
次に、図８を参照して、本発明の第三実施形態について説明する。上記第二実施形態においては、対応情報を用いて拡大画像情報を生成したが、本実施形態では、図８に示す表示倍率変更処理（３）において、対応情報を用いずに、拡大画像情報を生成する。
【００６４】
この表示倍率変更処理（３）では、図８に示すように、まず、現在表示中の文書ＩＤを取得する（Ｓ１）。そして、ＲＡＭ１２の画像表示用バッファ１２２を初期化する（Ｓ２）。次に、画素インデクスｉを初期化して１にする（Ｓ３３）。次に、表示倍率格納部１２１から倍率データを取得する（Ｓ３）。
【００６５】
次に、取得した倍率データに基づき、使用者が表示倍率を選択できるよう、表示部２に表示倍率候補を表示する（Ｓ４）。そして、使用者が拡大ボタン３４又は縮小ボタン３５を押して表示倍率を入力してくるのを受け付け（Ｓ５）、その受け付けた表示倍率を選択する（Ｓ６）。
【００６６】
次に、現在表示中の文書における、Ｓ６で選択された表示倍率に対応した差分情報を表示画像格納部１３１から読み込む（Ｓ３７）。そして、現在表示中の文書の基準画像情報を選択された表示倍率まで拡大し、拡大基準画像情報を作成する（Ｓ４８）。
【００６７】
次に、拡大基準画像情報のｉ番目の画素の値を、差分情報のｉ番目の画素の値に加算する（Ｓ５０）。そして、Ｓ５０にて得られた画素値を画像表示用バッファ１２２にセットする（Ｓ４２）。
【００６８】
次に、画素インデクスｉの値が、拡大基準画像情報のサイズ（全画素数）と一致したか否かを判断し（Ｓ４５）、拡大基準画像情報のサイズ（全画素数）と一致しなければ（Ｓ４５：ＮＯ）、ｉの値に１を加算して（Ｓ４６）、Ｓ５０に戻る。
【００６９】
画素インデクスｉの値が、拡大基準画像情報のサイズと一致した場合には（Ｓ４５：ＹＥＳ）、以上により、差分情報を用いて基準画像情報から使用者の所望の表示倍率に変更された拡大画像情報が画像表示用バッファ１２２に格納されたので、これを表示部２に表示する（Ｓ９）。
【００７０】
このように、本実施形態によれば、対応情報を用いなくても、画素間の対応づけが崩れることなく、差分情報を用いて、選択された表示倍率に対応する拡大画像情報を基準画像情報から生成することができる。
【００７１】
次に、本発明の第四実施形態について、図９を参照して説明する。上記第三実施形態では基準画像情報と各拡大画像情報との間の差分情報を記憶させたが、本実施形態では、用意された表示倍率間の差分情報を記憶しておく。例えば、１００％、２００％、３００％の表示倍率がある場合には、１００％と２００％との間の差分情報、２００％と３００％との間の差分情報を記憶しておく。従って、画像情報の拡大処理を一段階ずつ行い、要求された表示倍率まで拡大処理を繰り返す。
【００７２】
以下、本実施形態における表示倍率変更処理（４）について説明する。図９に示すように、まず、現在表示されている文書の文書ＩＤを取得する（Ｓ１）。そして、ＲＡＭ１２の画像表示用バッファ１２２を初期化する（Ｓ２）。次に、画素インデクスｉを初期化して１にする（Ｓ３３）。次に、表示倍率格納部１２１から倍率データを取得する（Ｓ３）。
【００７３】
次に、取得した倍率データに基づき、使用者が表示倍率を選択できるよう、表示部２に表示倍率候補を表示する（Ｓ４）。そして、使用者が拡大ボタン３４又は縮小ボタン３５を押して表示倍率を入力してくるのを受け付け（Ｓ５）、その受け付けた表示倍率を選択する（Ｓ６）。
【００７４】
次に、現在の表示倍率を取得する（Ｓ７１）。そして、Ｓ７１で取得した現在の表示倍率より１段階大きい表示倍率を取得し、これを拡大表示倍率としてセットする（Ｓ７２）。次に、拡大表示倍率に基づいて、現在の画像情報を１段階大きいサイズに拡大し、拡大画像情報を作成する（Ｓ７３）。
【００７５】
次に、Ｓ７２でセットした拡大表示倍率に対応する差分情報を表示画像格納部１３１から取得する（Ｓ７４）。次に、拡大画像情報のｉ番目の画素の値に、差分情報のｉ番目の画素の値を加算する（Ｓ７５）。そして、Ｓ７５で得られた画素値を画像表示用バッファ１２２にセットする（Ｓ４２）。
【００７６】
次に、画素インデクスｉの値が、拡大画像情報のサイズと一致したか否かを判断し（Ｓ４５）、画素インデクスｉの値が、拡大画像情報のサイズと一致しなければ（Ｓ４５：ＮＯ）、ｉの値に１を加算して（Ｓ４６）、Ｓ７３に戻り、処理を繰り返す。
【００７７】
画素インデクスｉの値が、拡大画像情報のサイズと一致した場合には（Ｓ４５：ＹＥＳ）、次に、Ｓ７２でセットした拡大表示倍率がＳ６で選択された表示倍率と等しいか否かを判断する（Ｓ７６）。等しくなければ（Ｓ７６：ＮＯ）、Ｓ７２に戻る。選択された表示倍率と等しくなったら（Ｓ７６：ＹＥＳ）、以上により、使用者の所望の表示倍率に対応する拡大画像情報が画像表示用バッファ１２２に格納されたので、これを表示部２に表示する（Ｓ９）。
【００７８】
このように、本実施形態によれば、対応情報を用いなくても、選択された表示倍率に達するまで、段階を追って倍率変更した拡大画像情報を生成しつつ、差分情報を加算することで、画素間の対応づけが崩れることなく所望の拡大画像情報を生成することができる。
【００７９】
次に、本発明の第五実施形態について図１０を参照して説明する。上記第一実施形態では、各拡大画像情報は、基準画像情報と同一のレイアウトを有していたが、文字のみで画像情報が構成されている場合には、単純に表示倍率を変更した拡大画像情報を作成・記憶させておくよりも、表示領域に合わせて文字のレイアウトを変更した拡大画像情報を記憶させておく方が、読み込んで表示させた場合に閲覧上便利である。
【００８０】
例えば、図１０に示すように、表示部２の表示領域が長さＬ、幅Ｗを有する場合に、基準画像情報に基づき拡大画像情報を生成する際に、基準画像情報をそのまま拡大するのではなく、文字を倍率に合わせて拡大し、拡大された文字を幅Ｗの表示領域に流し込むようにして拡大画像情報を作成する。そして、このように作成された拡大画像情報を表示画像格納部１３１に記憶させておく。表示倍率の変更が要求された場合には、第一実施形態の図５に示すフローチャートに従って、表示倍率変更処理（１）を行えば、Ｓ７の処理により、選択表示倍率に拡大された文字を有する、幅Ｗの拡大画像情報が表示画像格納部１３１から読出される。したがって、本実施形態によれば、使用者は、文書を読むときに、横方向に頁をめくる必要がなく、縦方向にのみ読むことができて便利である。
【００８１】
次に、本発明の第六実施形態について、図１１乃至図１３を参照して説明する。上記第五実施形態では、幅Ｗを有する拡大画像情報を表示画像格納部１３１に記憶しておき、これを読み出して表示部２に表示させていたが、本実施形態においては、表示倍率変更指示があった場合に、このように幅Ｗを有する拡大画像情報を基準画像情報から作成して表示させる。
【００８２】
例えば、図１１に示すように、基準画像情報１００に基づき拡大画像情報１０５を作成する場合、表示部２に表示される文字の位置は基準画像情報１００と拡大画像情報１０５とで異なる。そこで、本実施形態では、基準画像情報１００を複数の領域に分割し、各領域について基準画像情報１００及び拡大画像情報１０５間の位置関係を予め定めておき、これを対応情報として対応情報テーブル１５００に記憶させておく。尚、対応情報テーブル１５００はＲＡＭ１２等に設ければよい。
【００８３】
例えば、図１１に示す画像内の「むてっぽ」という領域については、基準画像情報１００については、表示始点座標(x1,y1):(50,100),表示終点座標(x2,y2):(240,170)、拡大画像情報１０５については、表示始点座標(x1,y1):(280,150), 表示終点座標(x2,y2):(540,310)というような対応情報の持ち方ができる。
【００８４】
次に、図１２を参照して、上記の対応情報テーブル１５００を参照して表示倍率の変更を行う表示倍率変更処理（６）について説明する。まず、現在表示中の文書ＩＤを取得する（Ｓ１）。取得した文書ＩＤから、当該文書における領域数を取得する（Ｓ６１）。そして、ＲＡＭ１２の画像表示用バッファ１２２を初期化する（Ｓ２）。次に、領域インデクスａを初期化して１にする（Ｓ６２）。
【００８５】
次に、表示倍率格納部１２１から倍率データを取得する（Ｓ３）。次に、取得した倍率データに基づき、使用者が表示倍率を選択できるよう、表示部２に表示倍率候補を表示する（Ｓ４）。そして、使用者が拡大ボタン３４又は縮小ボタン３５を押して表示倍率を入力してくるのを受け付け（Ｓ５）、その受け付けた表示倍率を選択する（Ｓ６）。
【００８６】
次に、選択された表示倍率に対応した差分情報を表示画像格納部１３１から読み込む（Ｓ３７）。尚、本実施形態で使用する差分情報は上記第三実施形態におけるものと同一である。そして、領域インデクスａに対応する対応情報を対応情報テーブル１５００から取得する（Ｓ６３）。
【００８７】
次に、後述の領域拡大処理を行う（Ｓ６４）。領域拡大処理が終わると、拡大した領域内の画像を、対応情報に基いて画像表示用バッファ１２２にセットする（Ｓ６５）。次に、領域インデクスａの値が、Ｓ６１で取得した領域数と一致したか否かを判断し（Ｓ６６）、一致していなければ（Ｓ６６：ＮＯ）、領域インデクスａの値に１を加算して（Ｓ６７）、Ｓ６３に戻り、処理を繰り返す。
【００８８】
領域インデクスａの値が、領域数と一致した場合には（Ｓ６６：ＹＥＳ）、画像表示用バッファ１２２に格納された画像情報を表示部２に表示する（Ｓ９）。
【００８９】
図１３を参照して、Ｓ６４の領域拡大処理について説明する。領域拡大処理では、領域ａの拡大画像情報を生成する。まず、画素インデクスｊを１に初期化し（Ｓ８１）、表示倍率変更処理（６）のＳ３７で取得した差分情報から、ｊ番目の画素に対応する差分値を取得する（Ｓ８２）。次に、ｊ番目の画素に対応する基準画像情報の画素の値にＳ８２で取得した差分値を加算し（Ｓ８３）、これを領域拡大用バッファ１２３（図１に点線で示す）にセットする（Ｓ８４）。
【００９０】
画素インデクスｊの値が、領域のサイズ（画素数）と一致したか否かを判断し（Ｓ８５）、一致していなければ（Ｓ８５：ＮＯ）、画素インデクスｊの値に１を加算して（Ｓ８６）、Ｓ８２に戻り、Ｓ８２〜Ｓ８６の処理を繰り返す。領域のサイズと一致していれば（Ｓ８５：ＹＥＳ）、表示倍率変更処理（６）に戻る。
【００９１】
このように、本実施形態によれば、あらかじめ対応領域テーブル１５００を用意することにより、差分情報と対応情報を用いて、幅Ｗを有する要求された表示倍率の拡大画像情報を生成して表示することができる。
【００９２】
次に、第七実施形態について、図１４（ａ）及び図１４（ｂ）を参照して説明する。
【００９３】
本実施形態は、第一実施形態とほぼ同一であるが、本実施形態では図１４（ａ）に示すような管理テーブル３３２を用いる点で第一実施形態と異なる。
【００９４】
管理テーブル３３２は、メモリカード１３内又はＲＡＭ１２内に設けられ、データ項目として文書ＩＤ３３２１と、倍率データ３３２２と、各画像情報へのリンク情報３３２３とが用意されている。また、図１４（ｂ）に示すように、表示画像格納領域１３１には、画像情報（基準画像情報及び拡大画像情報）のみが記憶されている。
【００９５】
本実施形態の表示倍率変更処理は、第一実施形態（図５）におけるものと同様である。ただし、本実施形態では、Ｓ３において、倍率データは表示倍率格納部１２１からではなく、管理テーブル３３２から取得される。また、Ｓ７において、画像情報は表示画像格納部１３１から直接取得されるのではなく、管理テーブル３３２を参照して、表示画像格納部１３１から取得される。これにより、倍率データや各画像情報へのアクセスが容易となり、表示倍率の種類や画像情報の数が増加しても、高速に表示倍率変更処理を実行することができる。また、表示倍率の種類を追加した場合にも管理が容易になる。
【００９６】
次に、第八実施形態について、図１５（ａ）乃至図１８を参照して説明する。
【００９７】
本実施形態では、拡大画像情報については、数個に分割した分割画像情報として、表示画像格納部１３１に格納しておく。例えば、図１５（ａ）に示すように、拡大画像情報２００を４分割し、これを分割画像情報２０１〜２０４として、表示画像格納部１３１に記憶させておく。
【００９８】
より具体的には、表示画像格納部１３１には、図１６に示すように、基準表示倍率以外の各表示倍率に対してはｎ個の分割画像情報が記憶されている。すなわち、文書ＩＤ１の文書については、基準画像情報２３１０と、表示倍率（１）に対応する画像情報として、表示倍率１画像情報（１）２３１１，表示倍率１画像情報（２）２３１２，・・・表示倍率１画像情報（ｎ）２３１ｎ、のｎ個の分割画像情報が記憶されている。また、表示倍率（２）に対応する画像情報として、表示倍率２画像情報（１）２３２１，表示倍率２画像情報（２）２３２２，・・・表示倍率２画像情報（ｎ）２３２ｎ、のｎ個の分割画像情報が記憶されている。さらに、表示倍率（ｍ）に対応する画像情報として、表示倍率ｍ画像情報（１）２３ｍ１，表示倍率ｍ画像情報（２）２３ｍ２，・・・表示倍率ｍ画像情報（ｎ）２３ｍｎ、のｎ個の分割画像情報が記憶されている。また、文書ＩＤ２の文書については、基準画像情報２４１０，表示倍率（１）に対応する画像情報として、表示倍率１画像情報（１）２４１１，表示倍率１画像情報（２）２４１２，・・・表示倍率１画像情報（ｎ）２４１ｎ、のｎ個の分割画像情報が記憶されている。また、表示倍率（２）に対応する画像情報として、表示倍率２画像情報（１）２４２１，表示倍率２画像情報（２）２４２２，・・・表示倍率２画像情報（ｎ）２４２ｎ、のｎ個の分割画像情報が記憶されている。さらに、表示倍率（ｍ）に対応する画像情報として、表示倍率ｍ画像情報（１）２４ｍ１，表示倍率ｍ画像情報（２）２４ｍ２，・・・表示倍率ｍ画像情報（ｎ）２４ｍｎ、のｎ個の分割画像情報が記憶されている。ここで、各分割画像情報は表示部２の表示領域よりも小さく、複数の分割画像情報の組み合わせにより、表示領域分の画像情報を形成する。尚、分割画像情報の数ｎは、各表示倍率毎にあらかじめ設定されている。
【００９９】
以上のような分割画像情報を用いた本実施形態の表示倍率変更処理（８）について、図１７のフローチャートを参照して説明する。
【０１００】
図１７に示すように、本実施形態の表示倍率変更処理（８）が開始されると、まず、現在表示されている文書の文書ＩＤを取得する（Ｓ１）。そして、ＲＡＭ１２の画像表示用バッファ１２２を初期化する（Ｓ２）。次に、表示倍率格納部１２１から倍率データを取得する（Ｓ３）。
【０１０１】
次に、取得した倍率データに基づき、使用者が表示倍率を選択できるよう、表示部２に表示倍率候補を表示する（Ｓ４）。そして、使用者が拡大ボタン３４又は縮小ボタン３５を押して表示倍率を入力してくるのを受け付け（Ｓ５）、その受け付けた入力に基づき、表示倍率を選択する（Ｓ６）。
【０１０２】
次に、初期表示領域候補の表示を行う（Ｓ１０）。例えば、左上、右上、左下、右下、等の候補を表示する。そして、使用者がこれらの候補から初期表示領域を入力してくるのを受け付ける（Ｓ１１）。
【０１０３】
次に、変数ｉをＳ１１で指定された初期表示領域に対応するインデクス値に設定する（Ｓ１２）。例えば、入力された初期表示領域が左上である場合は１、右上である場合は２、左下である場合は３、右下である場合は４をインデクス値として予め設定しておく。
【０１０４】
そして、Ｓ６で選択された表示倍率に対応する分割画像情報のうち、ｉ番目の分割画像情報を表示画像格納部１３１から取得する（Ｓ１６）。例えば、文書ＩＤ＝１であり、表示倍率（１）で、ｉが２であれば、表示倍率１画像情報（２）２３１２が取得される（図１６参照）。次に、取得した分割画像情報を画像表示用バッファ１２２に転送する（Ｓ８）。
【０１０５】
次に、ｉ番目の分割画像情報が、現在表示中の文書の、Ｓ６で選択された表示倍率に対応する分割画像情報のうち最後の分割画像情報であるか否かを判断する（Ｓ１７）。最後の分割画像情報である場合は（Ｓ１７：ＹＥＳ）、Ｓ２０に進む。
【０１０６】
一方、最後の分割画像情報でない場合は（Ｓ１７：ＮＯ）、次に、表示部２の表示領域に相当する一頁分の分割画像情報が画像表示用バッファ１２２に転送されたか否かを判断する（Ｓ１８）。まだ一頁分（表示領域分）に満たなければ（Ｓ１８：ＮＯ）、変数ｉに１を加算して（Ｓ１９）、Ｓ１６に戻り、前述の処理を繰り返す。
【０１０７】
一方、一頁分（表示領域分）を満たしていれば（Ｓ１８：ＹＥＳ）、Ｓ２０に進む。Ｓ２０では、表示開始位置をＳ１１で指定された初期表示領域に設定し（Ｓ２０）、画像表示用バッファ１２２に格納された分割画像情報を表示部２に表示して（Ｓ９）、処理を終了する。
【０１０８】
これにより、使用者により指定された表示倍率に応じて、分割画像情報の合成により一頁分の画像情報が作成され、これが表示部２に表示される。以上説明したように、本実施形態によれば、分割画像情報を表示領域のサイズ以上の大きさになるように複数個合成して表示するので、表示領域より大きなサイズを有する１個の画像情報を読み込む場合よりも画像表示用バッファ１２２の領域を小さくすることができる。次に、本実施形態における表示領域移動処理について、図１８のフローチャートを参照して説明する。表示領域移動処理は、上記表示倍率変更処理により表示倍率の変更が行われた後に、使用者の指示によって表示画像領域を移動させるための処理である。
【０１０９】
まず、入力部３から表示画像領域の移動指示の入力を受け付ける（Ｓ５１）。表示画像領域の移動指示は、例えば、次ボタン３１や前ボタン３２の押下により行われる。次に、領域移動量の設定値をＲＡＭ１２から取得する（Ｓ５２）。次に、Ｓ５２で得られた設定値分だけ、画面表示領域を移動させた画像情報を画像表示用バッファ１２２に格納する（Ｓ５３）。そして、画像表示用バッファ１２２に格納された画像情報に基づき、画像の表示を行い（Ｓ５４）、処理を終了する。
【０１１０】
尚、本実施形態において、分割画像情報を複数個合成して表示させるのではなく、Ｓ１７〜Ｓ１９のステップを行わずに、使用者によりＳ１１で指定された領域に対応する１個の分割画像情報のみを画像表示用バッファ１２２に転送して、表示するようにしてもよい。この場合、図１５（ａ）に示すように、拡大画像情報２００を単純に分割するのではなく、図１５（ｂ）に示すように、それぞれの分割画像情報に重複する領域を設けて分割画像情報２１１〜２１４としてもよい。例えば、図１５（ｃ）に示すように、分割画像情報２１１の右端の領域２１５と分割画像情報２１２の左端の領域２１６は、重複した領域となっている。同様に、分割画像情報２１１の下端の領域２１９と分割画像情報２１３の上端の領域２２１、分割画像情報２１３の右端の領域２１７と分割画像情報２１４の左端の領域２１８、分割画像情報２１２の下端の領域２２０と分割画像情報２１４の上端の領域２２２は、重複した領域となっている。このようにそれぞれの分割画像情報に重複した領域を設けておくと、文字が分割画像情報の端にかかって切れてしまったような場合にも、次の分割画像情報に遷移したときに前の分割画像情報の最後の端が表示されることとなり、文字を読みやすく表示できる。
【０１１１】
また、本実施形態のように分割画像情報を用いる場合でも、上述の第七実施形態と同様に管理テーブルを用いることもできる。この場合は、図１４（ｃ）に示すような管理テーブル１３３２を用いる。管理テーブル１３３２は、データ項目として、文書ＩＤ情報３３２１，倍率データ３３２２，頁１の画像情報へのリンク情報３３２４，頁２の画像情報へのリンク情報３３２５，頁３の画像情報へのリンク情報３３２６，頁４の画像情報へのリンク情報３３２７・・・が用意され、各表示倍率と各頁に対応する画像情報のファイル名が記憶されている。
【０１１２】
また、図１４（ｄ）に示すように、表示画像格納部１３１には、画像情報（基準画像情報及び分割画像情報）のみが記憶されている。これにより、第七実施形態の場合と同様、倍率データや各画像情報へのアクセスが容易となり、表示倍率の種類や画像情報の数が増加しても、高速に表示倍率変更処理を実行することができる。
【０１１３】
次に、本発明の第九実施形態について、図１９を参照して説明する。携帯型電子ブックのように文書を表示させる場合には、表示倍率を変更したときにも、表示領域にできるだけ無駄が出ないように表示ができる方が望ましい。そこで、本実施形態では、あらかじめ表示倍率を整数倍のみにしておき、一個の分割画像情報で表示領域一頁分の画像情報を構成するようにしておく。
【０１１４】
例えば、図１９に示すように、基準画像情報１００に対し、２倍の表示倍率を有する拡大画像情報２００を表示させる場合、１頁目には分割画像情報２０１が、２頁目には分割画像情報２０２が、３頁目には分割画像情報２０３が、４頁目には分割画像情報２０４が、表示領域いっぱいに表示されるようにする。また、３倍の表示倍率を有する拡大画像情報３００の場合、１頁目には分割画像情報３０１が、２頁目には分割画像情報３０２が、３頁目には分割画像情報３０３が、４頁目には分割画像情報３０４が、５頁目には分割画像情報３０５が、６頁目には分割画像情報３０６が、７頁目には分割画像情報３０７が、８頁目には分割画像情報３０８が、９頁目には分割画像情報３０９が、表示領域いっぱいに表示されるようにする。これにより、右側に無駄な余白ができないので、閲覧時に好適である。
【０１１５】
次に、本発明の第十実施形態について説明する。本実施形態においては、図１０に示すように、表示部２の幅Ｗに合わせて作成した拡大画像情報を、長さＬで分割して、分割画像情報とし、表示画像格納部１３１に記憶しておく。この場合、第八実施形態のフローチャート（図１７）に従って、表示倍率変更処理（８）を行えばよい。ここで、分割画像情報は予め幅Ｗと長さＬの表示領域に合わせて作成しているので、Ｓ１６で一頁分の分割画像情報が読み込まれる。従って、Ｓ１７〜Ｓ１９のステップを省略し画像表示用バッファ１２２に転送した分割画像情報を表示部２に表示すればよい。
【０１１６】
さらに、このような文字を含む文書の場合、文章の流れる方向に沿って分割して画像情報を作成するとさらに便利である。例えば、横書の文章では、図２０（ａ）に示すように、文章の流れに沿って縦に分割し、一方、縦書の文章では、図２０（ｂ）に示すように、文章の流れに沿って横に分割するとよい。
【０１１７】
次に、本発明の第十一実施形態について、図２１（ａ）乃至図２１（ｃ）を参照して説明する。本実施形態では、表示部２の縦横の比率に合わせて作成された分割画像情報については、これを回転させて表示画像格納部１３１に記憶させておく。表示の際には使用者は画像表示装置１ごと９０度回転して画像を閲覧できる。
【０１１８】
例えば、図２１（ａ）に示すように、基準画像情報１００が縦８００横６００のサイズであれば、まず、縦１０４０横８００となるような拡大画像情報３００を生成し、これを９０度回転させ、重複する領域を持つ二つの分割画像情報３０１、３０２として記憶させておく。このような構成によって、基準画像情報の表示時には、図２１（ｂ）のように閲覧でき、拡大画像情報の表示時には、図２１（ｃ）のように閲覧でき、表示領域の移動方向が一方向のみで閲覧できるため、便利である。
【０１１９】
次に、本発明の第十二実施形態について、図２２及び図２３を参照して説明する。上記第一実施形態では、画像情報をそのまま表示画像格納部１３１に記憶しておき、これを読み出して表示部２に表示させていたが、本実施形態では、各画像情報を圧縮して圧縮情報を生成し、これを表示画像格納部１３１に記憶させておき、表示部２に表示する際には圧縮画像を展開して表示させる。
【０１２０】
圧縮情報は、パソコン（図示外）等で圧縮画像作成処理を行うことにより、予め生成される。ここでは、ランレングス圧縮法を用いる。このような圧縮画像作成処理について、図２２を参照して説明する。圧縮画像作成処理では、連続した同じ階調の画素の数を示す変数としてカウンタｉと、その階調を示す変数として画素変数pixelを用いる。まず、カウンタｉを初期化して１とする（Ｓ１００）。次に、画素変数pixelを初期化する（Ｓ１０１）。次に、圧縮を行う元の画像情報を読み込む（Ｓ１０２）。そして、どの表示倍率の圧縮画像情報を作成するかについての情報を取得する（Ｓ１０３）。
【０１２１】
次に、Ｓ１０３で取得した表示倍率に基づいて、ランレングス圧縮後の符号化データの符号長を取得する（Ｓ１０４）。例えば、表示倍率１００％の基準画像情報の符号長が５ビットの場合、表示倍率２００％の場合は６ビット、表示倍率３００％の場合は７ビットというように、符号化データの符号長はあらかじめ決定されている。また、符合化データは、階調の値を表す領域と、連続した階調の画素の数を表す領域とで構成されている。例えば、表示倍率が２００％に圧縮された符号長が６ビットの符号化データは、先頭２ビットに階調の値（画素変数pixelの値）が、残り４ビットには連続した階調の画素の数（カウンタｉの値）が格納される。同様に、表示倍率が３００％に圧縮された符号長が７ビットの符号化データは、先頭２ビットに階調の値（画素変数pixelの値）が、残り５ビットには連続した階調の画素の数（カウンタｉの値）が格納されている。尚、各倍率における符号長は一例であり、これに限るものではない。
【０１２２】
次に、元画像情報からｉ番目の画素の階調の値を取得し、これを画素変数pixelにセットする（Ｓ１０５）。次に、画素変数pixelの値が一つ前の画素の階調の値と同じか否かを判断する（Ｓ１０６）。同じ場合には（Ｓ１０６：ＹＥＳ）、次に、カウンタｉの値が、Ｓ１０４で取得された符号長で表現できる範囲に収まるか否かを判断する（Ｓ１０７）。例えば、表示倍率２００％の圧縮画像情報を生成する場合、符号長６ビットのうち、階調の値を示す２ビットを除いた４ビットでカウンタｉの値を表現できる。つまり、４ビットでは０〜１５までの数が表現できるので、カウンタｉの値が１５以下かを判断する。符号長で表現できる範囲に収まっていれば（Ｓ１０７：ＹＥＳ）、カウンタｉの値に１を加算して、Ｓ１１１に進む。
【０１２３】
画素変数pixelの値が同じでない場合（Ｓ１０６：ＮＯ）、又は、カウンタｉの値が符号長で表現できる範囲を超えている場合は（Ｓ１０７：ＮＯ）、次に、画素変数pixelの値と、カウンタｉの値とを所定の記憶手段に出力及び記憶する（Ｓ１０９）。例えば、表示倍率２００％の圧縮画像情報を生成する場合、２ビットに画素変数pixelの値を格納し、残り４ビットにカウンタｉを格納した符号化データを、所定の記憶手段に出力及び記憶する。そして、カウンタｉの値を１に初期化し（Ｓ１１０）、Ｓ１１１へ移行する。
【０１２４】
Ｓ１１１では、すべての画素についての上記の処理が終了したか、すなわち、これ以上画素が読み込めないか否かを判断する（Ｓ１１１）。画素がまだ読み込める場合には（Ｓ１１１：ＮＯ）、Ｓ１０５に戻り、処理を繰り返す。画素が読み込めない場合には（Ｓ１１１：ＹＥＳ）、処理を終了する。
【０１２５】
このようにして、得られた符号化データ（圧縮情報）が表示画像格納部１３１に記憶される。このように作成された圧縮情報から、使用者からの要求に応じた画像情報を表示部２に表示するには、上述の各表示倍率変更処理において、Ｓ７にて表示画像格納部１３１から画像情報を読込む際に、次のような圧像画像展開処理が必要となる。
【０１２６】
圧縮画像展開処理について、図２３を参照して説明する。図２３に示すように、まず、画素変数pixelとカウンタcountを初期化する（Ｓ１２０）。次に、ＲＡＭ１２内に設けられた、圧縮画像を展開する先の展開先バッファ（図示外）を初期化する（Ｓ１２１）。
【０１２７】
次に、選択された表示倍率を取得する（Ｓ１２２）。そして、その表示倍率に対応する圧縮情報を取得する（Ｓ１２３）。次に、Ｓ１２２で取得した表示倍率に基づき、ランレングス圧縮の符号長を取得する（Ｓ１２４）。ここでは、先に説明した図２２のＳ１０４の方法の逆の手順で、符号長は取得される。
【０１２８】
次に、Ｓ１２３で取得した圧縮情報から、符号長分だけ符号化データを取得する。（Ｓ１２５）。つまり、階調の値と、連続する同じ階調の画素の数とを示す値を取得する。次に、取得した階調の値を画素変数pixelに、連続した同じ階調の画素の数をカウンタcountにセットする（Ｓ１２６）。そして、変数ｉに０を代入する（Ｓ１２７）。
【０１２９】
次に、変数ｉがカウンタcountの値より小さいか否かを判断する（Ｓ１２８）。小さければ（Ｓ１２８：ＹＥＳ）、画像変数pixelの値を展開先バッファに追加し（Ｓ１２９）、変数ｉに１を加算する（Ｓ１３０）。そして、Ｓ１２８に戻り、処理を繰り返す。
【０１３０】
変数ｉがカウンタcountの値より小さくなければ（Ｓ１２８：ＮＯ）、これ以上符号化データを読み込めないかどうかを判断し（Ｓ１３１）、まだ読み込める場合には（Ｓ１３１：ＮＯ）、Ｓ１２５に戻って処理を繰り返す。もう読み込めない場合には（Ｓ１３１：ＹＥＳ）、圧縮画像展開処理を終了する。
【０１３１】
以上のように、本実施形態によれば、画像情報として圧縮情報を記憶させるとともに、符号長の長さを表示倍率情報に基づいて設定しているので、適切な長さの符号長を用いることができ、圧縮効率の高い画像情報を用いることができる。
【０１３２】
ところで、以上の実施形態は、いずれも拡大の場合を念頭に置いているが、縮小の場合も同様に考えることができる。また、縮小の場合には、特有の処理として、単純に縮小画像情報を記憶させて表示させることに代えて、サムネイル表示を行うこともできる。このようなサムネイル表示を実行する第十三実施形態について、図２４〜図２６を参照して説明する。
【０１３３】
図２４に示すように、本実施形態の表示倍率変更処理（１３）が開始されると、まず、現在表示中の文書の文書ＩＤを取得する（Ｓ１）。そして、ＲＡＭ１２の画像表示用バッファ１２２を初期化する（Ｓ２）。次に、表示倍率格納部１２１から倍率データを取得する（Ｓ３）。
【０１３４】
次に、取得した倍率データに基づき、使用者が表示倍率を選択できるよう、表示部２に表示倍率候補を表示する（Ｓ４）。そして、使用者が拡大ボタン３４又は縮小ボタン３５を押して表示倍率を入力してくるのを受け付け（Ｓ５）、その受け付けた表示倍率を選択する（Ｓ６）。
【０１３５】
次に、選択された表示倍率が、縮小表示であり、サムネイル表示が指定されているか否かを判断する（Ｓ５６）。サムネイル表示が指定されていなければ（Ｓ５６：ＮＯ）、選択された表示倍率に対応する画像情報を表示画像格納部１３１から検索して読み込み（Ｓ７）、画像表示用バッファ１２２に転送する（Ｓ８）。尚、サムネイル表示の指定は、例えば表示部２の表示に従って、使用者が入力部３を操作することにより行うことができる。
【０１３６】
一方、サムネイル表示が指定されている場合には（Ｓ５６：ＹＥＳ）、後述のサムネイルページ生成処理を実行する（Ｓ６７）。そして、生成されたサムネイルページを画像表示用バッファ１２２に転送し（Ｓ８）、画像表示用バッファ１２２に格納された画像情報を表示部２に表示する（Ｓ９）。以上により、サムネイルページであっても、使用者の所望の表示倍率に変更された表示を得ることができる。
【０１３７】
次に、図２５を参照して、図２４の表示倍率変更処理（１３）の中で実行されるサムネイルページ生成処理について説明する。サムネイルページ生成処理が開始されると、まず１ページに表示するサムネイル数を取得する（Ｓ２０３）。１ページに表示するサムネイル数は、表示倍率に対応させてあらかじめ定められている。
【０１３８】
次に、ｘ方向のマージン値margin_x及びｙ方向のマージン値margin_yを取得する（Ｓ２０４）。マージン値は、表示倍率に対応させてあらかじめ定められている。ここでは、サムネイル画像の幅とｘ方向のサムネイル間の間隔との合計値を、ｘ方向のマージン値margin_x、サムネイル画像の高さとｙ方向のサムネイル間の間隔との合計値を、ｙ方向のマージン値margin_yとして設定している。
【０１３９】
次に、これから生成するサムネイル画像のインデクスｉを初期化して０とし、ページインデクスpageに、Ｓ１で取得した文書ＩＤを代入する（Ｓ２０５）。次にページ位置インデクスｘを０に、ページ位置インデクスｙをmargin_yに初期化する（Ｓ２０６）。尚、ページ位置インデクスｘ及びｙは、サムネイル画像の右下端点の座標を示す。尚、表示領域の左上端点を原点とする。
【０１４０】
そして、選択表示倍率及びページインデクスpageに対応する画像情報を表示画像格納部１３１から読み込む（Ｓ２０７）。次に、ページ位置インデクスｘに、ｘ方向のマージン値margin_xを加算する（Ｓ２０８）。そして、その画像情報についてサムネイル配置位置決定処理を行う（Ｓ２０９）。
【０１４１】
サムネイル配置位置決定処理について図２６を参照して説明する。図２６に示すように、サムネイル配置位置決定処理が開始されると、まず、インデクスｙの値が、格納バッファの高さ未満であるか否かを判断する（Ｓ２３２）。格納バッファ（図示せず）の高さに達してしまった場合には（Ｓ２３２：ＮＯ）、格納位置あふれエラーのエラー処理を実行し（Ｓ２３３）、サムネイル生成処理へ戻る。
【０１４２】
ページ位置インデクスｙの値が、格納バッファの高さ未満であれば（Ｓ２３２：ＹＥＳ）、ページ位置インデクスｘの値が、格納バッファの幅未満であるか否かを判断する（Ｓ２３５）。ページ位置インデクスｘの値が、格納バッファの幅未満である場合には（Ｓ２３５：ＹＥＳ）、サムネイルページ生成処理に戻る。
【０１４３】
ページ位置インデクスｘの値が、格納バッファの幅に達していれば（Ｓ２３５：ＮＯ）、次の段にサムネイルを配置するために、インデクスｙにマージン値margin_yを加算する（Ｓ２３７）。すなわち、y=y+margin_yとする。次に、インデクスｘをmargin_xに初期化し（Ｓ２３８）、サムネイルページ生成処理に戻る。
【０１４４】
このようにサムネイルの配置位置が決定したら、次に、サムネイルの格納位置あふれエラーが発生していないかを判断する（Ｓ２１０）。エラーが発生している場合には（Ｓ２１０：ＹＥＳ）、そのまま表示倍率変更処理（１３）に戻る。エラーが発生していない場合には（Ｓ２１０：ＮＯ）、Ｓ２０９で決定された表示領域の指定位置に、Ｓ２０７で取得した画像情報をサムネイル画像として配置する（Ｓ２１１）。
【０１４５】
次に、サムネイル画像のインデクスｉと、ページインデクスpageに１を加算する（Ｓ２１２）。次に、ページインデクスpageの値が表示画像格納部１３１に格納された全文書数に達していないかどうかを判断する（Ｓ２１３）。全文書数に達していなければ（Ｓ２１３：ＹＥＳ）、次に、サムネイル画像のインデクスｉの値が、Ｓ２０３で取得したサムネイル数に達していないかを判断する（Ｓ２１４）。ｉの値がサムネイル数に達していなければ（Ｓ２１４：ＹＥＳ）、Ｓ２０７に戻る。
【０１４６】
ページインデクスpageの値が全文書数に達した場合（Ｓ２１３：ＮＯ）、又は、ｉの値がサムネイル数に達した場合は（Ｓ２１４：ＮＯ）、図２４の表示倍率変更処理（１３）に戻る。
【０１４７】
このように、本実施形態によれば、縮小倍率が選択された場合には、一画面に使用者が所望する表示倍率のサムネイル画像を複数個表示することができ、全体の構成を把握しやすくできる。
【０１４８】
なお、本発明は、上述した実施の形態に限定されず、特許請求の範囲に記載した範囲で種々の変形や改良が可能である。
【図面の簡単な説明】
【０１４９】
【図１】図１は、画像表示装置１の構成を示すブロック図である。
【図２】図２は、画像表示装置１の正面図である。
【図３】図３は、ＲＡＭ１２の表示倍率格納部１２１のデータ構造を示す構成図である。
【図４】図４は、メモリカード１３の表示画像格納部１３１のデータ構造を示す構成図である。
【図５】図５は、第一実施形態における表示倍率変更処理（１）のフローチャートである。
【図６（ａ）】図６（ａ）は、差分情報を用いて、基準画像情報から表示倍率２００％の拡大画像情報を生成する場合の説明図である。
【図６（ｂ）】図６（ｂ）は、差分情報を用いて、基準画像情報から表示倍率４００％の拡大画像情報を生成する場合の説明図である。
【図６（ｃ）】図６（ｃ）は、基準画像情報と表示倍率２００％の拡大画像情報間の対応情報のデータ構造を示す構成図である。
【図６（ｄ）】図６（ｄ）は、基準画像情報と表示倍率４００％の拡大画像情報間の対応情報のデータ構造を示す説明図である。
【図７】図７は、本発明の第二実施形態における表示倍率変更処理（２）のフローチャートである。
【図８】図８は、本発明の第三実施形態における表示倍率変更処理（３）のフローチャートである。
【図９】図９は、本発明の第四実施形態における表示倍率変更処理（４）のフローチャートである。
【図１０】図１０は、表示領域に合わせて文字のレイアウトを変更して拡大画像情報を作成する場合の説明図である。
【図１１】図１１は、本発明の第六実施形態において、対応情報を用いて拡大画像情報を作成する場合の説明図である。
【図１２】図１２は、本発明の第六実施形態における表示倍率変更処理（６）のフローチャートである。
【図１３】図１３は、本発明の第六実施形態における表示倍率変更処理（６）のＳ６４で実行される領域拡大処理のフローチャートである。
【図１４（ａ）】図１４（ａ）は、本発明の第七実施形態における管理テーブルを示す構成図である。
【図１４（ｂ）】図１４（ｂ）は、本発明の第七実施形態における表示画像格納部のデータ構造を示す構成図である。
【図１４（ｃ）】図１４（ｃ）は、本発明の第八実施形態における管理テーブルを示す構成図である。
【図１４（ｄ）】図１４（ｄ）は、本発明の第八実施形態における表示画像格納部のデータ構造を示す構成図である。
【図１５（ａ）】図１５（ａ）は、分割画像情報の説明図である。
【図１５（ｂ）】図１５（ｂ）は、分割画像情報の説明図である。
【図１５（ｃ）】図１５（ｃ）は、分割画像情報の説明図である。
【図１６】図１６は、本発明の第八実施形態における表示画像格納部のデータ構造を示す構成図である。
【図１７】図１７は、本発明の第八実施形態における表示倍率変更処理（８）のフローチャートである。
【図１８】図１８は、表示倍率変更処理（８）で実行される表示領域移動処理のフローチャートである。
【図１９】図１９は、本発明の第九実施形態において、表示倍率を整数倍のみとした場合の説明図である。
【図２０（ａ）】図２０（ａ）は、本発明の第十実施形態において、拡大画像情報を縦に分割して分割画像情報を作成する場合の説明図である。
【図２０（ｂ）】図２０（ｂ）は、本発明の第十実施形態において、拡大画像情報を横に分割して分割画像情報を作成する場合の説明図である。
【図２１（ａ）】図２１（ａ）は、本発明の第十一実施形態において、拡大画像情報を回転させて記憶しておく場合の説明図である。
【図２１（ｂ）】図２１（ｂ）は、本発明の第十一実施形態において、基準画像情報を表示した画像表示装置を示す説明図である。
【図２１（ｃ）】図２１（ｃ）は、本発明の第十一実施形態において、画像表示装置を回転させて、拡大画像情報を閲覧する際の説明図である。
【図２２】図２２は、本発明の第十二実施形態における圧縮画像作成処理のフローチャートである。
【図２３】図２３は、本発明の第十二実施形態における圧縮画像展開処理のフローチャートである。
【図２４】図２４は、本発明の第十三実施形態における表示倍率変更処理（１３）のフローチャートである。
【図２５】図２５は、表示倍率変更処理（１３）の中で実行されるサムネイルページ生成処理のフローチャートである。
【図２６】図２６は、サムネイルページ生成処理の中で実行されるサムネイル配置位置決定処理のフローチャートである。
【符号の説明】
【０１５０】
１     画像表示装置
２     表示部
３     入力部
１０   ＣＰＵ
１１   ＲＯＭ
１２    ＲＡＭ
１３ メモリカード
１４   データ受信部
３１   次ボタン
３２   前ボタン
３４   拡大ボタン
３５   縮小ボタン
１００ 基準画像情報
１０５ 拡大画像情報
１２１ 表示倍率格納部
１２２ 画像表示用バッファ
１３１ 表示画像格納部
２００ 拡大表示画像
２０１〜２０４，２１１〜２１４     分割画像情報
２１５〜２２２       重複領域
３００ 拡大表示画像
３０１〜３０９       分割画像情報
３３２ 管理テーブル
５００ 基準画像情報
６００，７００       拡大画像情報
６１０，７１０       差分情報
１３１０，１３２０，１３３０，２３１０，２４１０ 基準画像情報
１３１１，１３１２，１３１ｍ，１３２１，１３２２，１３２ｍ，１３３１，１３３２，１３３ｍ   拡大画像情報
１５００  対応情報テーブル
【図１】
2007213046.tif 000003
【図２】
2007213046.tif 000004
【図３】
2007213046.tif 000005
【図４】
2007213046.tif 000006
【図５】
2007213046.tif 000007
【図６（ａ）】
2007213046.tif 000008
【図６（ｂ）】
2007213046.tif 000009
【図６（ｃ）】
2007213046.tif 000010
【図６（ｄ）】
2007213046.tif 000011
【図７】
2007213046.tif 000012
【図８】
2007213046.tif 000013
【図９】
2007213046.tif 000014
【図１０】
2007213046.tif 000015
【図１１】
2007213046.tif 000016
【図１２】
2007213046.tif 000017
【図１３】
2007213046.tif 000018
【図１４（ａ）】
2007213046.tif 000019
【図１４（ｂ）】
2007213046.tif 000020
【図１４（ｃ）】
2007213046.tif 000021
【図１４（ｄ）】
2007213046.tif 000022
【図１５（ａ）】
2007213046.tif 000023
【図１５（ｂ）】
2007213046.tif 000024
【図１５（ｃ）】
2007213046.tif 000025
【図１６】
2007213046.tif 000026
【図１７】
2007213046.tif 000027
【図１８】
2007213046.tif 000028
【図１９】
2007213046.tif 000029
【図２０（ａ）】
2007213046.tif 000030
【図２０（ｂ）】
2007213046.tif 000031
【図２１（ａ）】
2007213046.tif 000032
【図２１（ｂ）】
2007213046.tif 000033
【図２１（ｃ）】
2007213046.tif 000034
【図２２】
2007213046.tif 000035
【図２３】
2007213046.tif 000036
【図２４】
2007213046.tif 000037
【図２５】
2007213046.tif 000038
【図２６】
2007213046.tif 000039